【手続補正書】
【提出日】平成22年8月11日(2010.8.11)
【手続補正１】
【補正対象書類名】明細書
【補正対象項目名】発明の名称
【補正方法】変更
【補正の内容】
【発明の名称】表示装置におけるコンテンツの表示方法、コンテンツ表示プログラム、及び表示装置
【手続補正２】
【補正対象書類名】特許請求の範囲
【補正対象項目名】全文
【補正方法】変更
【補正の内容】
【特許請求の範囲】
【請求項１】
コンテンツに含まれる要素に対してユーザによる表示装置に備えられたユーザインタフェースを介したインタラクションを無効にするステップと、
前記インタラクションが無効な状態で前記表示装置の画面に収まる前記コンテンツ内の領域を表示するステップと、
ユーザによる前記ユーザインタフェースを介したスクロール操作に応じて、前記インタラクションが無効にされたコンテンツの表示領域を変更するステップと、
ユーザによる前記ユーザインタフェースを介した操作に応じて前記コンテンツ内の任意の領域を注視領域に決定するステップと、
前記注視領域の位置情報を前記表示装置のメモリに記憶するステップと、
ユーザによる前記ユーザインタフェースを介した指示に応じて、前記インタラクションが有効な状態で、前記メモリに記憶された位置情報に対応する注視領域を含む前記コンテンツ内の領域を前記画面に表示するステップと、
を有することを特徴とする表示装置におけるコンテンツの表示方法。
【請求項２】
ネットワーク上のＵＲＩ（Uniform Resource Identifier）からコンテンツを取得するステップと、
前記表示装置の画面に収まる前記コンテンツ内の領域を表示するステップと、
ユーザによる前記表示装置に備えられたユーザインタフェースを介した操作に応じて前記コンテンツ内の任意の領域を注視領域に決定するステップと、
前記注視領域の位置情報を前記コンテンツのＵＲＩと共に前記表示装置のメモリに記憶するステップと、
ユーザによる前記ユーザインタフェースを介した指示に応じて、前記メモリに記憶された位置情報に対応する注視領域を含む前記コンテンツ内の領域を前記画面に表示するステップと、
を有することを特徴とする表示装置におけるコンテンツの表示方法。
【請求項３】
前記メモリに記憶するステップでは、前記コンテンツのＵＲＩを上位層に、該コンテンツ内の位置情報を下位層に、それぞれ分けて記憶することを特徴とする、請求項１又は請求項２に記載の表示装置におけるコンテンツの表示方法。
【請求項４】
前記メモリに記憶された位置情報を前記画面にサムネイルで表示するステップを有することを特徴とする、請求項１から請求項３の何れか一項に記載の表示装置におけるコンテンツの表示方法。
【請求項５】
前記メモリに記憶された位置情報に対応する注視領域を他の領域と識別可能に表示するステップを有し、
ユーザによる前記ユーザインタフェースを介した操作に応じて前記識別可能に表示された注視領域が選択されたとき、前記画面に表示するステップにおいて、該注視領域を含む前記コンテンツ内の領域を該画面に表示することを特徴とする、請求項１から請求項４の何れか一項に記載の表示装置におけるコンテンツの表示方法。
【請求項６】
前記メモリに記憶された位置情報に対応する注視領域に、所定の色、色の濃淡、模様の少なくとも１つの組み合わせからなるパターン画像を合成して表示することを特徴とする、請求項１から請求項５の何れか一項に記載の表示装置におけるコンテンツの表示方法。
【請求項７】
前記メモリへの記憶が予定されている位置情報に対応する注視領域と、該メモリに記憶済みの位置情報に対応する注視領域とが重複するか否かを判断するステップと、
互いの注視領域が少なくとも一部重複すると判断された場合に、
（１）前記記憶済みの位置情報を新たな位置情報に上書きする
（２）新たな位置情報を追加記憶する
（３）前記記憶済みの位置情報を削除する
の何れか１つを実行するステップと、
を有することを特徴とする、請求項１から請求項６の何れか一項に記載の表示装置におけるコンテンツの表示方法。
【請求項８】
前記メモリに記憶された位置情報に対応する注視領域の先頭情報の変更を検知するステップと、
前記先頭情報の変更が検知された場合に、当該位置情報を削除するステップと、
を有することを特徴とする、請求項１から請求項７の何れか一項に記載の表示装置におけるコンテンツの表示方法。
【請求項９】
前記コンテンツの更新を検知するステップと、
前記コンテンツの更新が検知された場合に、該コンテンツに属する全ての前記位置情報を削除するステップと、
を有することを特徴とする、請求項１から請求項７の何れか一項に記載の表示装置におけるコンテンツの表示方法。
【請求項１０】
請求項１から請求項９の何れか一項に記載の表示装置におけるコンテンツの表示方法をコンピュータに実行させるためのコンテンツ表示プログラム。
【請求項１１】
ユーザインタフェースと、
コンテンツに含まれる要素に対してユーザによる前記ユーザインタフェースを介したインタラクションを無効にする無効手段と、
画面に収まる前記コンテンツ内の領域を表示する手段であって、ユーザによる前記ユーザインタフェースを介したスクロール操作に応じて該コンテンツの表示領域を変更する表示手段と、
ユーザによる前記ユーザインタフェースを介した操作に応じて前記コンテンツ内の任意の領域を注視領域に決定する注視領域決定手段と、
前記注視領域の位置情報を記憶する記憶手段と、
を有し、
ユーザによる前記ユーザインタフェースを介した指示に応じて、前記インタラクションを有効にすると共に、前記記憶手段に記憶された位置情報に対応する注視領域を含む前記コンテンツ内の領域を前記画面に表示することを特徴とする表示装置。
【請求項１２】
ネットワーク上のＵＲＩからコンテンツを取得する取得手段と、
画面に収まる前記コンテンツ内の領域を表示する表示手段と、
ユーザによる前記ユーザインタフェースを介した操作に応じて前記コンテンツ内の任意の領域を注視領域に決定する注視領域決定手段と、
前記注視領域の位置情報を前記コンテンツのＵＲＩと共に記憶する記憶手段と、
を有し、
ユーザによる前記ユーザインタフェースを介した指示に応じて、前記記憶手段に記憶された位置情報に対応する注視領域を含む前記コンテンツ内の領域を前記画面に表示することを特徴とする表示装置。
【請求項１３】
前記記憶手段は、前記コンテンツのＵＲＩを上位層に、該コンテンツ内の位置情報を下位層に、それぞれ分けて記憶することを特徴とする、請求項１１又は請求項１２に記載の表示装置。
【請求項１４】
前記記憶手段に記憶された位置情報を前記画面にサムネイルで表示するサムネイル表示手段を有することを特徴とする、請求項１１から請求項１３の何れか一項に記載の表示装置。
【請求項１５】
前記記憶手段に記憶された位置情報に対応する注視領域を他の領域と識別可能に表示する識別表示手段を有し、
ユーザによる前記ユーザインタフェースを介した操作に応じて前記識別可能に表示された注視領域が選択されたとき、該注視領域を含む前記コンテンツ内の領域を前記画面に表示することを特徴とする、請求項１１から請求項１４の何れか一項に記載の表示装置。
【請求項１６】
前記記憶手段に記憶された位置情報に対応する注視領域に、所定の色、色の濃淡、模様の少なくとも１つの組み合わせからなるパターン画像を合成して表示するパターン画像合成手段を有することを特徴とする、請求項１１から請求項１５の何れか一項に記載の表示装置。
【請求項１７】
前記記憶手段への記憶が予定されている位置情報に対応する注視領域と、該記憶手段に記憶済みの位置情報に対応する注視領域とが重複するか否かを判断する判断手段を有し、
互いの注視領域が少なくとも一部重複すると判断された場合に、
（１）前記記憶済みの位置情報を新たな位置情報に上書きする
（２）新たな位置情報を追加記憶する
（３）前記記憶済みの位置情報を削除する
の何れか１つを実行することを特徴とする、請求項１１から請求項１６の何れか一項に記載の表示装置。
【請求項１８】
前記記憶手段に記憶された位置情報に対応する注視領域の先頭情報の変更を検知する変更検知手段と、
前記先頭情報の変更が検知された場合に、当該位置情報を削除する削除手段と、
を有することを特徴とする、請求項１１から請求項１７の何れか一項に記載の表示装置。
【請求項１９】
前記コンテンツの更新を検知する更新検知手段と、
前記コンテンツの更新が検知された場合に、該コンテンツに属する全ての前記位置情報を削除する削除手段と、
を有することを特徴とする、請求項１１から請求項１７の何れか一項に記載の表示装置。